(57)【要約】【課題】通信線を引き留める作業を行う際に、通信線または通信線を引き留めるための金属線の被覆層がチャックに挟持されることを防止できる通信線用引留具を提供する。【解決手段】  通信線用引留具１００は、中心に円錐面の貫通穴を有するケース１１と、ケース１１に装着され、挿入された通信線または通信線を引き留めるための金属線１７の一部外周面を支持するための一対のチャック１５と、このチャック１５をケース１１の貫通穴の後端に固定させるコイルばね１４と、ケース１１の前端に設けられ、コイルばね１４をケース１１に固定されるキャップ１３と、ケース１１の後端に設けられ、通信線または通信線を引き留めるための金属線１７ａを挿通するパイプ１６とを備え、パイプ１６は、前端にはケース１１の後端と係止する凸縁１６ａを有すると共に、長さ方向の所定位置に円周に渡って内側へ突出する凸部１６ｂが形成される。【選択図】        図２
2006180616.tif 000002
【特許請求の範囲】
【請求項１】
中心に円錐面の貫通穴を有するケースと、
前記ケースに装着され、挿入された通信線または通信線を引き留めるための金属線の外周面を挟持する一対のチャックと、
前記チャックを前記ケースの貫通穴の後端側に押圧するコイルばねと、
前記ケースの前端に設けられ、前記コイルばねを前記ケースに固定するキャップと、
前記ケースの後端に設けられ、通信線または通信線を引き留めるための金属線を挿通するパイプとを備え、
前記パイプは、
前端には前記ケースの後端と係止する凸縁を有すると共に、長さ方向の所定位置に内方へ突出する被覆層規制部が形成される
ことを特徴とする通信線用引留具。
【請求項２】
前記被覆層規制部は、前記通信線または通信線を引き留めるための金属線の被覆層を規制する規制面と、前記通信線または通信線を引き留めるための金属線の挿入をガイドするガイド面とを有する
ことを特徴とする請求項１に記載の通信線用引留具。
【請求項３】
前記被覆層規制部は、前記パイプの長さ方向の凸縁側に設けられる
ことを特徴とする請求項１に記載の通信線用引留具。
【請求項４】
前記被覆層規制部は、前記パイプの円周に渡って内方へ突出するように形成される
ことを特徴とする請求項１に記載の通信線用引留具。
【請求項５】
前記被覆層規制部は、前記パイプの円周上の任意個所に形成される
ことを特徴とする請求項１に記載の通信線用引留具。
【発明の詳細な説明】
【技術分野】
【０００１】
本発明は、通信線等を架設する際に、通信線等を引き留めるための通信線用引留具に関する。詳しくは、通信線用引留具ケースの後端に設けられ、通信線または通信線を引き留めるための金属線を挿通するパイプは、前端にはケースの後端と係止する凸縁を有すると共に、長さ方向の所定位置に内方へ突出する被覆層規制部が形成される構成とすることによって、通信線を引き留める作業を行う際に、通信線または通信線を引き留めるための金属線の被覆層がチャックに挟持されることを防止することができるようにした通信線用引留具に係るものである。
【背景技術】
【０００２】
従来の通信線用引留具の構成は、図７、図８に示されている。図７は、従来の通信線用引留具の構成を示す外観図である。図８は、従来の通信線用引留具の構成を示す断面図である。図８は金属線が挟持される状態を示している。
【０００３】
図７、図８に示すように、この通信線用引留具１０は、ケース２０を備え、このケース２０の両側に突出した鍔２１には掛具２２がケース２０の後方へＵ字状に延設されつつ固定される。両鍔２１間に位置するケース２０の一方の外側面には突壁２３が突出され、この突壁２３には締め付けねじ２４を備える。
【０００４】
また、ケース２０内の前後部には、図７および図８に示すように、通信線の一部を挿通するためのパイプ２５とキャップ２６とを備え、パイプ２５とキャップ２６の間に位置するケース２０内の前後方向には通信線の一部外周面を支持するためのチャック２７と、コイルばね２８とを備える。チャック２７は一対の爪から構成され、その外形が楔形とされると共に、その割面には噛み合い歯２９が設けられている。従って、パイプ２５からキャップ２６へ向けて通信線の端末にて押圧されスプリング２８の弾発力に抗しつつキャップ２６側へ移動し、通信線がチャック２７の割面間からコイルばね２８内を通ってキャップ２６を貫通する。そして、この貫通後において通信線をその挿通方向と逆方向へ引くことにより、チャック２７にコイルばね２８の弾発力が作用しつつ通信線の一部外周面に噛み合い歯２９が食いつき、通信線がケース２０に支持される（例えば、特許文献１参照）。
【０００５】
【特許文献１】実開昭５９−１８５９２２号公報（第６，７頁、第２，３図）
【発明の開示】
【発明が解決しようとする課題】
【０００６】
しかしながら、上述した従来の通信線用引留具１０を用いる場合、通信線を引き留める作業を行うとき、通信線または通信線を引き留めるための金属線の先端の所定長さのプラスチック製被覆層を除去し、金属線を露出させ、この金属線をパイプ２５から挿入し、チャック２７により挟持する際に、金属線の被覆層がチャックに挟持されることがあり、そのため、通信線を引き留めた後にこのプラスチック製被覆層が変形することにより、通信線の引き留めが緩めるという不具合があった。また、パイプ２５がチャック２７により押さえられなくなり、緩みが発生する不具合があった。
【０００７】
また、従来の通信線用引留具の構成において、パイプ２５の内径を、通信線または通信線を引き留めるための金属線の被覆層が入らないように小さくする方法があるが、この場合、通信線または通信線を引き留めるための金属線の挿入が困難となり、作業性が低下するという問題点があった。また、被覆層が除去された部分の金属線が外部に露出されるという不具合があった。
【０００８】
そこで、本発明は、ケースの後端に設けられ、通信線または通信線を引き留めるための金属線の一部を挿通するパイプの長さ方向の所定位置に円周に渡って内側へ突出する凸部が形成されることで、通信線を引き留める作業を行う際に、通信線または通信線を引き留めるための金属線の被覆層がチャックに挟持されることを防止することができるようにした通信線用引留具を提供することを目的とする。
【課題を解決するための手段】
【０００９】
本発明に係る通信線用引留具は、中心に円錐面の貫通穴を有するケースと、ケースに装着され、挿入された通信線または通信線を引き留めるための金属線の外周面を挟持する一対のチャックと、チャックをケースの貫通穴の後端側に押圧するコイルばねと、ケースの前端に設けられ、コイルばねをケースに固定するキャップと、ケースの後端に設けられ、通信線または通信線を引き留めるための金属線を挿通するパイプとを備え、パイプは、前端には前記ケースの後端と係止する凸縁を有すると共に、長さ方向の所定位置に内方へ突出する被覆層規制部が形成されるものである。
【００１０】
本発明においては、通信線または通信線を引き留めるための金属線の一部を挿通するパイプは、前端には前記ケースの後端と係止する凸縁を有すると共に、長さ方向の所定位置に内方へ突出する被覆層規制部が形成される。
【００１１】
例えば、被覆層規制部は、通信線または通信線を引き留めるための金属線の被覆層を規制する規制面と、通信線または通信線を引き留めるための金属線の挿入をガイドするガイド面とを有する。
また、被覆層規制部は、パイプの長さ方向の凸縁側に設けられる。また、被覆層規制部は、パイプの円周に渡って内方へ突出するように形成される。または、被覆層規制部は、パイプの円周上の任意個所に形成される。
【００１２】
パイプの被覆層規制部の内径は、通信線または通信線を引き留めるための金属線の外径と通信線または通信線を引き留めるための金属線の保護層の外径との間に形成され、この被覆層規制部の内径で金属線の被覆層はストップされる。
【００１３】
これにより、通信線を引き留める作業を行う際に、パイプ上の被覆層規制部により通信線または通信線を引き留めるための金属線の被覆層がある部分をチャック部まで挿入することを阻止することができ、通信線または通信線を引き留めるための金属線の被覆層がチャックに挟持されることを防止することが可能となる。
【００１４】
そのため、通信線または通信線を引き留めるための金属線の被覆層が変形することにより、通信線の引き留めが緩めるという不具合を解消することが可能となる。また、被覆層が除去された部分の金属線が外部に露出されることを回避することが可能となる。
【発明の効果】
【００１５】
本発明によれば、通信線用引留具は、中心に円錐面の貫通穴を有するケースと、ケースに装着され、挿入された通信線または通信線を引き留めるための金属線の外周面を挟持する一対のチャックと、チャックをケースの貫通穴の後端側に押圧するコイルばねと、ケースの前端に設けられ、コイルばねをケースに固定するキャップと、ケースの後端に設けられ、通信線または通信線を引き留めるための金属線を挿通するパイプとを備え、パイプは、前端には前記ケースの後端と係止する凸縁を有すると共に、長さ方向の所定位置に内方へ突出する被覆層規制部が形成されるものであり、通信線を引き留める作業を行う際に、パイプ上の被覆層規制部により通信線または通信線を引き留めるための金属線の被覆層がある部分をチャック部まで挿入することを阻止することができ、通信線または通信線を引き留めるための金属線の被覆層がチャックに挟持されることを防止することができる。
【００１６】
そのため、通信線または通信線を引き留めるための金属線の被覆層が変形することにより、通信線の引き留めが緩めるという不具合を解消することができる。また、被覆層が除去された部分の金属線が外部に露出されることを回避することができる。
【発明を実施するための最良の形態】
【００１７】
以下、図面を参照しながら、この発明の実施の形態の通信線用引留具について説明する。
【００１８】
図１は、実施の形態としての通信線用引留具の構成を示す外観図である。図２は、通信線用引留具の構成を示す断面図である。
図１、図２に示すように、通信線用引留具１００は、ケース１１と、掛具１２と、キャップ１３と、コイルばね１４と、チャック１５と、パイプ１６とから構成されている。なお、図２は金属線がチャックに挟持される状態である。
【００１９】
ケース１１は、例えば、金属材料から形成され、中心部に円錐面の貫通穴を有する。ケース１１の両側に突出した鍔１１ａが設けられ、この鍔１１ａには掛具１２がケース１１の後方へＵ字状に延設され、固定される。また、ケース１１の貫通穴の後端に、パイプ１６の凸縁１６ａと係止する係止部１１ｂが設けられている。
【００２０】
掛具１２は、ケース１１を電信柱等に引っ掛けるものであり、この掛具１２はＵ字状に形成されている。この掛具１２の両端はケース１１の両側に突出した鍔１１ａに固定される。
【００２１】
キャップ１３は、ケース１１の前端部と嵌合することができるように形成される。また、このキャップ１３には、通信線または通信線を引き留めるための金属線１７を挿通するための孔が設けられている。
【００２２】
また、キャップ１３は、コイルばね１４を付勢させた状態で圧着によりケース１１に固定される。
【００２３】
コイルばね１４は、円錐形コイルばねであり、径の大きい端はキャップ１３に、径の小さい端はチャック１５側に配置される。また、このコイルばね１４は、キャップ１３により付勢され、チャック１５をケース１１の貫通穴の一端に固定させるようになされる。
【００２４】
チャック１５は、一対の爪から構成され、その外形が楔形とされると共に、その割面には噛み合い歯１５ａが設けられている。チャック１５の中に挿入された通信線または通信線を引き留めるための金属線１７ａの外周面に噛み合い歯１５ａが食いつき、通信線または通信線を引き留めるための金属線１７ａがケース２０に支持される。
【００２５】
パイプ１６は、ケースの後端に設けられ、通信線または通信線を引き留めるための金属線１７ａの一部を挿通することができるものである。
【００２６】
図３は、パイプ１６の断面図である。図３に示すように、一端にはケースの後端と係止する凸縁１６ａを有すると共に、長さ方向の所定位置に円周に渡って内側へ突出する被覆層規制部１６ｂが形成される。この被覆層規制部１６ｂは、凸縁１６ａに近い位置に設けられている。また、パイプ１６の被覆層規制部１６ｂは絞り加工により形成される。この被覆層規制部１６ｂは、通信線または通信線を引き留めるための金属線１７ａの被覆層をストップさせる規制部１６ｃと、金属線１７ａを容易に挿入させるガイド部１６ｄとから構成される。
【００２７】
また、被覆層規制部１６ｂの内径Ｃ２は、通信線または通信線を引き留めるための金属線１７ａの外径と通信線または通信線を引き留めるための金属線１７ａの被覆層１７ｂの外径との間に形成される。例えば、全長１５ｍｍパイプ１６の凸縁１６ａに約３ｍｍの位置に内径Ｃ２＝３ｍｍの被覆層規制部１６ｂが設けられる。また、パイプ１６の内径Ｃ１は被覆層１７ｂの外径より大きいとされる。
【００２８】
なお、パイプ１６の寸法、被覆層規制部１６ｂの内径Ｃ２、および凸縁１６ａからの距離は、これに限定されるものではない。通信線または通信線を引き留めるための金属線１７ａ、およびその被覆層１７ｂの寸法によって、他の寸法にしてもよい。
【００２９】
通信線を引き留める作業を行う際に、通信線または通信線を引き留めるための金属線１７ａの先端の所定長さのプラスチック製被覆層１７ｂを除去し、金属線１７ａを露出させ、この金属線１７ａをパイプ１６からキャップ１３へ向けて挿入する。この金属線１７ａの端末にて押圧されコイルばね１４の弾発力に抗しつつキャップ１３側へ移動し、金属線１７ａがチャック１５の割面間からコイルばね１４内を通ってキャップ１３を貫通する。そして、この貫通後において通信線または通信線を引き留めるための金属線１７ａをその挿通方向と逆方向へ引くことにより、チャック１５にコイルばね１４の弾発力が作用しつつ通信線または通信線を引き留めるための金属線１７ａの外周面に噛み合い歯１５ａが食いつき、通信線または通信線を引き留めるための金属線１７ａがケース１１に支持される。
【００３０】
また、図４は、通信線用引留具の構成の他の例を示す外観図である。図５は、通信線用引留具の構成を示す断面図である。
図４、図５に示すように、通信線用引留具２００は、ケース１１と、掛具１２と、キャップ１３と、コイルばね１４と、チャック１５と、パイプ１６とから構成されている。なお、図５は金属線がチャックに挟持される状態である。
【００３１】
この例の場合は、ケース１１において、両鍔１１ａ間に位置するケース１１の一方の外側面には突壁１１ｃが設けされている。この突壁１１ｃにはアース線を取り付けるための取り付け穴１１ｄが設けられている。また、突壁１１ｃにはアース線を締め付ける締め付けねじ１８を備える。これにより、アース線を有する通信線に対応することができる。
【００３２】
このように本実施の形態においては、通信線用引留具１００、２００は、中心に円錐面の貫通穴を有するケース１１と、ケース１１に装着され、挿入された通信線または通信線を引き留めるための金属線１７ａの外周面を挟持する一対のチャック１５と、このチャック１５をケース１１の貫通穴の後端に固定させるコイルばね１４と、ケース１１の前端に設けられ、コイルばね１４をケース１１に固定されるキャップ１３と、ケース１１の後端に設けられ、通信線または通信線を引き留めるための金属線１７ａを挿通するパイプ１６とを備え、パイプ１６は、前端にはケース１１の後端と係止する凸縁１６ａを有すると共に、長さ方向の所定位置に円周に渡って内方へ突出する被覆層規制部１６ｂが形成される。
【００３３】
これにより、通信線を引き留める作業を行う際に、パイプ１６上の被覆層規制部１６ｂにより通信線または通信線を引き留めるための金属線１７ａの被覆層１７ｂがある部分をチャック１５まで挿入することを阻止することができ、通信線または通信線を引き留めるための金属線１７ａの被覆層１７ｂがチャック１５に挟持されることを防止することができる。
【００３４】
そのため、通信線または通信線を引き留めるための金属線１７ａの被覆層１７ｂが変形することにより、通信線の引き留めが緩めるという不具合を解消することができる。また、被覆層１７ｂが除去された部分の金属線が外部に露出されることを回避することができ、パイプ１６の緩みも回避できる。
【００３５】
また、外部の金属線１７ａが揺れる場合、被覆層規制部１６ｂが凸縁１６ａに近い位置に設ける場合は、凸縁１６ａに近い位置に設ける場合より金属線１７ａの受力を改善することが可能である。
【００３６】
また、ケース１１にアース取り付け部があるタイプの通信線用引留具２００は、アース線を有する通信線に対応することができる。
【００３７】
なお、上述実施の形態においては、パイプ１６の一カ所に被覆層規制部１６ｂが設けられたものとしたが、これに限定されるものではない。パイプ１６に複数の凸部１６ｂ（例えば、２個）を設けるようにしてもよい。
【００３８】
また、上述実施の形態において、パイプ１６の被覆層規制部１６ｂは絞り加工により形成されるものとしたが、これに限定されるものではない。他の加工方法を用いて形成するようにしてもよい。例えば、図６（ａ）および図６（ｂ）に示すような構成にしてもよい。
【００３９】
図６（ａ）および図６（ｂ）は、パイプの他の構成例を示す図である。図６（ａ）はパイプ１９の断面図で、図６（ｂ）はパイプ１９のＷ方向から見た図である。図に示すように、パイプ１９の一端側に被覆層規制部１９ｂが円周上の３個所に形成される。
【００４０】
このパイプ１９を用いる場合は、上述したパイプ１６と同様に通信線を引き留める作業を行う際に、パイプ１９上の被覆層規制部１９ｂにより通信線または通信線を引き留めるための金属線１７ａの被覆層１７ｂがある部分をチャック１５まで挿入することを阻止することができ、通信線または通信線を引き留めるための金属線１７ａの被覆層１７ｂがチャック１５に挟持されることを防止することができる。さらに、各被覆層規制部１９ｂの間に間隔があるので、金属線１７が挿入し易い。
【産業上の利用可能性】
【００４１】
この発明に係る通信線用引留具は、通信線を架設する際に、通信線を引き留めるための通信線用引留具において、通信線または通信線を引き留めるための金属線の被覆層がチャックに挟持されることを防止し、この被覆層の変形により、通信線の引き留めが緩めるという不具合を解消する目的に適用する。
【図面の簡単な説明】
【００４２】
【図１】実施の形態としての通信線用引留具の構成を示す外観図である。
【図２】通信線用引留具の構成を示す断面図である。
【図３】パイプ１６の断面図である。
【図４】通信線用引留具の他の構成例を示す外観図である。
【図５】通信線用引留具の他の構成例を示す断面図である。
【図６（ａ）】パイプ１９の断面図である。
【図６（ｂ）】パイプ１９のＷ方向から見た図である。
【図７】従来の通信線用引留具の構成を示す外観図である。
【図８】従来の通信線用引留具の構成を示す断面図である。
【符号の説明】
【００４３】
１０，１００，２００  通信線用引留具
１１，２０  ケース
１１ａ，２１  鍔
１１ｂ  係止部
１１ｃ  突壁
１１ｄ  取り付け穴
１２，２２  掛具
１３，２６  キャップ
１４，２８  コイルばね
１５，２７  チャック
１５ａ，２９  噛み合い歯
１６，１９，２５  パイプ
１６ａ，１９ａ  凸縁
１６ｂ，１９ｂ  被覆層規制部
１６ｃ  規制部
１６ｄ  ガイド部
１７a  金属線（または通信線）
１７b  被覆層
１８  締め付けねじ
【図１】
2006180616.tif 000003
【図２】
2006180616.tif 000004
【図３】
2006180616.tif 000005
【図４】
2006180616.tif 000006
【図５】
2006180616.tif 000007
【図６（ａ）】
2006180616.tif 000008
【図６（ｂ）】
2006180616.tif 000009
【図７】
2006180616.tif 000010
【図８】
2006180616.tif 000011